【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
一定方向に分極された分極部分を有する圧電体と、
前記分極部分の連続した１つの領域の表面に、それぞれ分離されて形成された複数の電極と
を備えたことを特徴とする電気機械変換素子。
【請求項２】
請求項１に記載の電気機械変換素子において、
前記圧電体は、円環形状であり、
前記複数の電極は、前記圧電体の前記領域に径方向に区画されて配置されていること、
を特徴とする電気機械変換素子。
【請求項３】
請求項１に記載の電気機械変換素子において、
前記圧電体は、円環形状であり、
前記複数の電極は、前記圧電体の前記円環形状の径方向に沿った領域によって前記円環形状の周方向に区画されて前記圧電体上に形成されていること、
を特徴とする電気機械変換素子。
【請求項４】
請求項３に記載の電気機械変換素子において、
前記複数の電極のそれぞれは、前記円環形状の径方向に複数の領域に区画されており、
前記複数の領域のそれぞれに対応する前記分極部分は、分極方向が同一であること、
を特徴とする電気機械変換素子。
【請求項５】
請求項２から４までのいずれか１項に記載の電気機械変換素子において、
前記複数の電極は、前記円環形状の中心を通る線に対して略対称に配置されていること、
を特徴とする電気機械変換素子。
【請求項６】
請求項１から請求項５までのいずれか１項に記載の電気機械変換素子において、
前記複数の電極は、それぞれ独立して駆動信号を入力できるように配線されていること、
を特徴とする電気機械変換素子。
【請求項７】
請求項１から請求項６までのいずれか１項に記載の電気機械変換素子と、
前記電気機械変換素子と接触して設けられ、前記電気機械変換素子の駆動により振動する弾性体と、
前記弾性体の前記電気機械変換素子が設けられる部分とは異なる部分に接触して設けられ、前記振動により前記弾性体に対して相対移動をする相対移動部材と
を備えたことを特徴とする振動アクチュエータ。
【請求項８】
請求項１に記載の電気機械変換素子と、
前記電気機械変換素子と接触して設けられ、前記電気機械変換素子の駆動により振動する弾性体と、
前記弾性体の前記電気機械変換素子が設けられる部分とは異なる部分に接触して設けられ、前記振動により前記弾性体に対して相対移動をする相対移動部材とを備え、
前記複数の電極は、前記相対移動部材の相対移動方向と略直交する方向に区画されて配置されていること、
を特徴とする振動アクチュエータ。
【請求項９】
電気機械変換素子の電気的に独立した複数の電極に対応して設けられ、前記電気機械変換素子を駆動する駆動信号を入力する複数の配線部と、
前記複数の配線部に対して互いに独立して前記駆動信号を供給可能な供給制御部と、
を備えたことを特徴とする振動アクチュエータの駆動装置。
【請求項１０】
電気機械変換素子の電気的に独立した複数の電極に対して設けられ、前記電気機械変換素子を駆動する駆動信号を入力する複数の配線部と、
前記複数の配線部に前記駆動信号を供給する駆動信号発生部と、
前記複数の配線部のそれぞれに対して、前記駆動信号を供給するか否かを選択可能な供給制御部と
を備えたことを特徴とする振動アクチュエータの駆動装置。
【請求項１１】
請求項９又は請求項１０に記載の振動アクチュエータの駆動装置において、
温度を検出する温度検出部を備え、
前記供給制御部は、前記温度検出部の検出結果に応じて前記駆動信号を供給すること、
を特徴とする振動アクチュエータの駆動装置。
【請求項１２】
請求項１１に記載の振動アクチュエータの駆動装置において、
前記温度検出部は、前記電気機械変換素子又はその付近の温度を検出すること、
を特徴とする振動アクチュエータの駆動装置。
【請求項１３】
請求項１１又は請求項１２に記載の振動アクチュエータの駆動装置において、
前記供給制御部は、前記温度検出部の検出結果により温度が高いときに、温度が低いときと比べて前記駆動信号を供給する前記配線部の数を減少させること、
を特徴とする振動アクチュエータの駆動装置。
【請求項１４】
請求項９から請求項１３までのいずれか１項に記載の振動アクチュエータの駆動装置において、
前記複数の電極は、所定の線に対して略対称に配置されており、
前記供給制御部は、前記所定の線に対して略対称な位置関係にある前記電極のそれぞれに前記駆動信号を供給する制御を行うこと、
を特徴とする振動アクチュエータの駆動装置。
【請求項１５】
請求項１４に記載の振動アクチュエータの駆動装置において、
前記供給制御部は、前記所定の線に対して略対称な位置関係にある前記電極のそれぞれ
に互いに位相が異なる前記駆動信号を供給する制御を行うこと、
を特徴とする振動アクチュエータの駆動装置。
【請求項１６】
請求項１３に記載の振動アクチュエータの駆動装置において、
前記複数の電極は、所定の線に対して略対称に配置されており、
前記供給制御部は、前記駆動信号を供給する前記配線部の数を減少させる際は、前記所定の線に対して略対称な位置関係にある前記電極のそれぞれに対応する配線部への前記駆動信号の供給を停止すること、
を特徴とする振動アクチュエータの駆動装置。
【請求項１７】
請求項７又は請求項８に記載の振動アクチュエータと、
請求項９から請求項１６までのいずれか１項に記載の振動アクチュエータの駆動装置と
を備えたことを特徴とするレンズ鏡筒。
【請求項１８】
請求項７又は請求項８に記載の振動アクチュエータと、
請求項９から請求項１６までのいずれか１項に記載の振動アクチュエータの駆動装置と
を備えたことを特徴とするカメラ。
【手続補正２】
【補正対象書類名】明細書
【補正対象項目名】０００４
【補正方法】変更
【補正の内容】
【０００４】
本発明は、以下のような解決手段により前記課題を解決する。
請求項１に記載の発明は、一定方向に分極された分極部分（１２１ａ）を有する圧電体（１２１）と、前記分極部分（１２１ａ）の連続した１つの領域（Ｐ）の表面に、それぞれ分離されて形成された複数の電極（１２２−４，１２２−５，１２２−６）とを備えたこと、を特徴とする電気機械変換素子（１２）である。
請求項２に記載の発明は、請求項１に記載の電気機械変換素子（１２）において、前記圧電体（１２１）は、円環形状であり、前記複数の電極（１２２−４，１２２−５，１２２−６）は、前記圧電体（１２１）の前記領域（Ｐ）に径方向（Ｙ）に区画されて配置されていること、を特徴とする電気機械変換素子（１２）である。
請求項３に記載の発明は、請求項１に記載の電気機械変換素子（１２）において、前記圧電体（１２１）は、円環形状であり、前記複数の電極（１２２−４，１２２−５，１２２−６）は、前記圧電体（１２１）の前記円環形状の径方向（Ｙ）に沿った領域（Ｐ）によって前記円環形状の周方向に区画されて前記圧電体（１２１）上に形成されていること、を特徴とする電気機械変換素子（１２）である。
請求項４に記載の発明は、請求項３に記載の電気機械変換素子（１２）において、前記複数の電極（１２２−４，１２２−５，１２２−６）のそれぞれは、前記円環形状の径方向（Ｙ）に複数の領域（Ｐ）に区画されており、前記複数の領域（Ｐ）のそれぞれに対応する前記分極部分（１２１ａ）は、分極方向が同一であること、を特徴とする電気機械変換素子（１２）である。
請求項５に記載の発明は、請求項２から４までのいずれか１項に記載の電気機械変換素子（１２）において、前記複数の電極は、前記円環形状の中心を通る線（Ｌ）に対して略対称に配置されていること、を特徴とする電気機械変換素子（１２）である。
請求項６に記載の発明は、請求項１から請求項５までのいずれか１項に記載の電気機械変換素子（１２）において、前記複数の電極（１２２−４，１２２−５，１２２−６）は、それぞれ独立して駆動信号を入力できるように配線されていること、を特徴とする電気機械変換素子（１２）である。
請求項７に記載の発明は、請求項１から請求項６までのいずれか１項に記載の電気機械変換素子（１２）と、前記電気機械変換素子（１２）と接触して設けられ、前記電気機械変換素子（１２）の駆動により振動する弾性体（１３）と、前記弾性体（１３）の前記電気機械変換素子（１２）が設けられる部分とは異なる部分に接触して設けられ、前記振動により前記弾性体（１３）に対して相対移動をする相対移動部材（１５）と、を備えたことを特徴とする振動アクチュエータ（１０）である。
請求項８に記載の発明は、請求項１に記載の電気機械変換素子と、前記電気機械変換素子と接触して設けられ、前記電気機械変換素子の駆動により振動する弾性体と、前記弾性体の前記電気機械変換素子が設けられる部分とは異なる部分に接触して設けられ、前記振動により前記弾性体に対して相対移動をする相対移動部材とを備え、前記複数の電極は、前記相対移動部材の相対移動方向と略直交する方向に区画されて配置されていること、を特徴とする振動アクチュエータである。
請求項９に記載の発明は、電気機械変換素子（１２）の電気的に独立した複数の電極（１２２−４，１２２−５，１２２−６）に対応して設けられ、前記電気機械変換素子（１２）を駆動する駆動信号を入力する複数の配線部（３５−１）と、前記複数の配線部（３５−１）に対して互いに独立して前記駆動信号を供給可能な供給制御部（３２，３３，３４Ａ，３４Ｂ）と、を備えたことを特徴とする振動アクチュエータの駆動装置（３０）である。
請求項１０に記載の発明は、電気機械変換素子（１２）の電気的に独立した複数の電極（１２２−４，１２２−５，１２２−６）に対して設けられ、前記電気機械変換素子（１２）を駆動する駆動信号を入力する複数の配線部（３５−１）と、前記複数の配線部（３５−１）に前記駆動信号を供給する駆動信号発生部と、前記複数の配線部（３５−１）のそれぞれに対して、前記駆動信号を供給するか否かを選択可能な供給制御部（３２，３３，３４Ａ，３４Ｂ）と、を備えたことを特徴とする振動アクチュエータの駆動装置（３０）である。
請求項１１に記載の発明は、請求項９又は請求項１０に記載の振動アクチュエータの駆動装置（３０）において、温度を検出する温度検出部（３１）を備え、前記供給制御部（３２）は、前記温度検出部（３１）の検出結果に応じて前記駆動信号を供給すること、を特徴とする振動アクチュエータの駆動装置（３０）である。
請求項１２に記載の発明は、請求項１１に記載の振動アクチュエータの駆動装置（３０）において、前記温度検出部（３１）は、前記電気機械変換素子（１２）又はその付近の温度を検出すること、を特徴とする振動アクチュエータの駆動装置（３０）である。
請求項１３に記載の発明は、請求項１１又は請求項１２に記載の振動アクチュエータの駆動装置（３０）において、前記供給制御部（３２）は、前記温度検出部（３１）の検出結果により温度が高いときに、温度が低いときと比べて前記駆動信号を供給する前記配線部（３５−１）の数を減少させること、を特徴とする振動アクチュエータの駆動装置（３０）である。
請求項１４に記載の発明は、請求項９から請求項１３までのいずれか１項に記載の振動アクチュエータの駆動装置（３０）において、前記複数の電極は、所定の線（Ｌ）に対して略対称に配置されており、前記供給制御部（３２）は、前記所定の線（Ｌ）に対して略対称な位置関係にある前記電極のそれぞれに前記駆動信号を供給する制御を行うこと、を特徴とする振動アクチュエータの駆動装置（３０）である。
請求項１５に記載の発明は、請求項１４に記載の振動アクチュエータの駆動装置（３０）において、前記供給制御部（３２）は、前記所定の線（Ｌ）に対して略対称な位置関係にある前記電極のそれぞれに互いに位相が異なる前記駆動信号を供給する制御を行うこと、を特徴とする振動アクチュエータの駆動装置（３０）である。
請求項１６に記載の発明は、請求項１３に記載の振動アクチュエータの駆動装置（３０）において、前記複数の電極は、所定の線（Ｌ）に対して略対称に配置されており、前記供給制御部（３２）は、前記駆動信号を供給する前記配線部（３５−１）の数を減少させる際は、前記所定の線（Ｌ）に対して略対称な位置関係にある前記電極のそれぞれに対応する配線部（３５−１）への前記駆動信号の供給を停止すること、を特徴とする振動アクチュエータの駆動装置（３０）である。
請求項１７に記載の発明は、請求項７又は請求項８に記載の振動アクチュエータ（１０）と、請求項９から請求項１６までのいずれか１項に記載の振動アクチュエータの駆動装置（３０）と、を備えたことを特徴とするレンズ鏡筒（３）である。
請求項１８に記載の発明は、請求項７又は請求項８に記載の振動アクチュエータ（１０）と、請求項９から請求項１６までのいずれか１項に記載の振動アクチュエータの駆動装置（３０）と、を備えたことを特徴とするカメラ（１）である。
なお、本発明をわかりやすく説明するために実施形態を示す図面の符号に対応付けて説明したが、本発明は、これに限定されるものでなく、後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。